(57)【要約】【課題】各番組に応じたダイジェストを生成してユーザのダイジェスト利用価値の向上を図ることができる映像ダイジェスト生成装置を提供する。【解決手段】放送局２から受信した番組の映像を記憶媒体１４に録画する録画手段１１と、番組の映像のダイジェストを生成するダイジェスト生成プログラムを、ネットワーク３から取得するネットワーク接続手段１５と、取得したダイジェスト生成プログラムを実行するプログラム実行手段１２と、プログラム実行手段が実行するダイジェスト生成プログラムに従って、録画した番組の映像を映像表示装置４に再生する再生手段１３と、を備える。ダイジェスト生成プログラムは、番組毎に作成されるため、各番組の内容に応じたダイジェストを生成することができる。【選択図】  図１
2004193708.tif 000002
【特許請求の範囲】
【請求項１】
受信した番組の映像を録画して、ダイジェストを生成する映像ダイジェスト生成方法であって、
前記番組の映像を受信する受信ステップと、
受信した前記番組の映像を記憶媒体に録画する録画ステップと、
前記番組の映像のダイジェストを生成するダイジェスト生成プログラムを、ネットワーク経由で取得するプログラム取得ステップと、
取得した前記ダイジェスト生成プログラムを実行して、録画した前記番組の映像の前記ダイジェストを生成するプログラム実行ステップと、を含む、ことを特徴とする映像ダイジェスト生成方法。
【請求項２】
前記録画ステップは、前記受信ステップにより受信した前記番組の映像の時間情報を前記記憶媒体に記録するステップ、をさらに含み、
前記プログラム実行ステップでは、記録した前記時間情報を利用して、前記ダイジェストを生成する、ことを特徴とする請求項１記載の映像ダイジェスト生成方法。
【請求項３】
前記プログラム取得ステップでは、１つの番組に対する複数の異なるダイジェスト生成プログラムの中から選択した前記ダイジェスト生成プログラムを取得する、ことを特徴とする請求項１又は２記載の映像ダイジェスト生成方法。
【請求項４】
前記ダイジェスト生成プログラムは、前記番組を解説するダイジェスト解説用情報を含む、ことを特徴とする請求項１から３記載の映像ダイジェスト生成方法。
【請求項５】
受信した番組の映像を録画して、映像データベースを生成する映像データベース生成方法であって、
前記番組の映像を受信する受信ステップと、
受信した前記番組の映像を記憶媒体に録画する録画ステップと、
前記番組の映像に含まれる所定要素の情報である映像解析用情報を、ネットワーク経由で取得する映像解析用情報取得ステップと、
取得した前記映像解析用情報と録画した前記番組の映像とから、前記映像データベースを生成するデータベース生成ステップと、を含む、ことを特徴とする映像データベース生成方法。
【請求項６】
映像データベースを生成する映像データベース生成方法であって、
被写体を撮影して映像を生成するする撮影ステップと、
生成した前記映像を記憶媒体に録画する録画ステップと、
前記映像に含まれる所定要素の情報である映像解析用情報を、ネットワーク経由で取得する映像解析用情報取得ステップと、
取得した前記映像解析用情報と録画した前記映像とから、前記映像データベースを生成するデータベース生成ステップと、を含む、ことを特徴とする映像データベース生成方法。
【請求項７】
受信した番組の映像を録画して、ダイジェストを生成する映像ダイジェスト生成装置であって、
前記番組の映像を受信する受信手段と、
受信した前記番組の映像を記憶媒体に録画する録画手段と、
前記番組の映像のダイジェストを生成するダイジェスト生成プログラムを、ネットワークから取得するネットワーク接続手段と、
取得した前記ダイジェスト生成プログラムを実行するプログラム実行手段と、
前記プログラム実行手段が実行する前記ダイジェスト生成プログラムに従って、前記録画手段が録画した前記番組の映像を再生する再生手段と、を備える、ことを特徴とする映像ダイジェスト生成装置。
【請求項８】
前記録画手段は、前記番組の映像の時間情報を前記記憶媒体に記録し、
前記プログラム実行手段は、記録した前記時間情報を利用して、前記ダイジェストを生成する、ことを特徴とする請求項７記載の映像ダイジェスト生成装置。
【請求項９】
１つの番組に対する複数の異なるダイジェスト生成プログラムの中から、単数又は複数の前記ダイジェスト生成プログラムを選択するプログラム選択手段、をさらに備え、
前記ネットワーク接続手段は、前記プログラム選択手段が選択した前記ダイジェスト生成プログラムを、前記ネットワークから取得する、ことを特徴とする請求項７又は８記載の映像ダイジェスト生成装置。
【請求項１０】
前記ダイジェスト生成プログラムは、前記番組を解説するダイジェスト解説用情報を含む、ことを特徴とする請求項７から９記載の映像ダイジェスト生成装置。
【請求項１１】
受信した番組の映像を録画して、映像データベースを生成する映像データベース生成装置であって、
前記番組の映像を受信する受信手段と、
受信した前記番組の映像を記憶媒体に録画する録画手段と、
前記番組の映像に含まれる所定要素の情報である映像解析用情報を、ネットワーク経由で取得するネットワーク接続手段と、
取得した前記映像解析用情報と録画した前記番組の映像とから、前記映像データベースを生成するデータベース生成手段と、を備える、ことを特徴とする映像データベース生成装置。
【請求項１２】
映像データベースを生成する映像データベース生成装置であって、
被写体を撮影して映像を生成するする撮影手段と、
生成した前記映像を記憶媒体に録画する録画手段と、
前記映像に含まれる所定要素の情報である映像解析用情報を、ネットワーク経由で取得するネットワーク接続手段と、
取得した前記映像解析用情報と生成した前記映像とから、前記映像データベースを生成するデータベース生成手段と、を備える、ことを特徴とする映像データベース生成装置。
【発明の詳細な説明】
【０００１】
【発明の属する技術分野】
本発明は、配信された番組のダイジェストを生成するダイジェスト生成方法及びその装置、並びに、配信された番組または被写体を撮影して生成した映像のデータベースを生成するデータベース生成方法及びその装置、に関する。
【０００２】
【従来の技術】
近年、テレビ番組や映画などの動画を、ＤＶＤ（ｄｉｇｉｔａｌ  ｖｅｒｓａｔｉｌｅ  ｄｉｓｃ）レコーダやハードディスク装置（ＨＤＤ）を内蔵する録画再生装置で録画することで、放送時間に束縛されずに番組を視聴することが可能となった。
【０００３】
また、ＤＶＤやＨＤＤ装置のランダムアクセスという特性を活かし、録画された番組へのアクセスもビデオテープでのアクセスに比べて高速である。
【０００４】
さらに、記憶媒体の大容量化が進むにつれて、長時間番組や多数の番組を一つの記憶媒体に録画可能である。
【０００５】
しかし、長時間番組を録画した場合には、録画された番組を視聴するために長時間を費やす必要がある。
【０００６】
従って、ユーザが視聴する時間を十分に確保できない場合、録画した番組をすべて視聴することが困難となる。
【０００７】
そこで、録画時にシーンチェンジを検出して代表映像によるダイジェストを生成する方法（特許文献１参照）や、放送時の数値データを利用してダイジェストを作成する方法（特許文献２参照）により、ダイジェストで番組内容を確認することを可能としている。
【０００８】
また、大容量の利点を活かして、数多くの番組を蓄積（録画）すると、蓄積された番組の確認や、目的とする番組あるいは目的とするシーンを探し出す時間が必要となり、手間がかかる。
【０００９】
そこで、録画時に特徴量を抽出して動画データベースを構築することで、目的とする番組やシーンを検索する（特許文献３参照）方法が開発されている。これにより目的とする番組やシーンを検出することを可能としている。
【００１０】
【特許文献１】
特開平９−２８４６９８号公報（００１３）
【特許文献２】
特開２００１−１１９６４９号公報（００３２）
【特許文献３】
特開平１１−３３８８７６号公報（００１０）
【００１１】
【発明が解決しようとする課題】
しかしながら、代表映像により生成したダイジェストは、ストーリー性の低い番組（例えば、スポーツ番組）では、ある程度番組の流れを把握できるものが生成される可能性はあるが、ストーリー性の高い番組（例えば、映画やドラマ）ではストーリーを把握するのは非常に困難である（特許文献１参照）。従って、このようなダイジェストは、ユーザにとって、必ずしも利用価値が高いとは言えない。
【００１２】
また、放送時の数値データを利用してダイジェストを作成する場合は、放送局側で放送前に数値データを用意する必要があり、さらに、個人の嗜好にあったダイジェストを生成するには数値データを利用したダイジェスト生成方法には限界がある（特許文献２参照）。これは数値データの基準が放送局側の基準であり、個人の嗜好に合わせた重み付けになっていないことに起因している。従って、このようにして作成されたダイジェストは、ユーザにとって、必ずしも利用価値が高いとは言えない。
【００１３】
また、ダイジェスト番組自体を作成後、ネットワーク配信することも考えられる。これにより各個人が嗜好にあった構成のダイジェストを選択・ダウンロードして、視聴することもできる。
【００１４】
しかし、放送された番組・映像には著作権があるため、自由に動画を用いてダイジェストを作成し配布することには問題がある。また、ダイジェスト番組自体を配信するとネットワークに負荷がかかる問題もある。
【００１５】
また、動画データベースを録画時にリアルタイムに生成するシステムでは、例えば、映像の特徴量を抽出することでデータベースを構築するのだが、放送される番組は多種多様にわたり、すべてに対応することは困難である（特許文献３参照）。即ち、ユーザにとって利用価値の高いデータベースを安定的に生成するのは困難である。
【００１６】
さらに、リアルタイム性の確保と特徴量を検出する精度を向上するには、多大な演算を高速で実行する必要があるため、ハードウェアコストが上昇する。
【００１７】
そこで、本発明は、各番組に応じたダイジェストを生成して、ユーザのダイジェスト利用価値の向上を図りながらも、著作権の問題を回避でき、かつ、ネットワークにかかる負荷を軽減できる映像ダイジェスト生成方法および映像ダイジェスト生成装置を提供することを目的とする。
【００１８】
また、本発明は、各番組に応じたデータベースを生成して、ユーザにとって利用価値の高いデータベースの安定的な提供を図り、かつ、効率のよいシーン検出及びリアルタイム性の確保を図ることができる映像データベース生成方法および映像データベース生成装置を提供することを目的とする。
【００１９】
また、本発明は、撮影して生成した各映像に応じたデータベースを生成して、ユーザにとって利用価値の高いデータベースの安定的な提供を図り、かつ、効率のよいシーン検出及びリアルタイム性の確保を図ることができる映像データベース生成方法および映像データベース生成装置を提供することを目的とする。
【００２０】
【課題を解決するための手段】
請求項１記載の映像ダイジェスト生成方法では、受信した番組の映像を録画して、ダイジェストを生成する映像ダイジェスト生成方法であって、番組の映像を受信する受信ステップと、受信した番組の映像を記憶媒体に録画する録画ステップと、番組の映像のダイジェストを生成するダイジェスト生成プログラムを、ネットワーク経由で取得するプログラム取得ステップと、取得したダイジェスト生成プログラムを実行して、録画した番組の映像のダイジェストを生成するプログラム実行ステップと、を含む。
【００２１】
請求項７記載の映像ダイジェスト生成装置では、受信した番組の映像を録画して、ダイジェストを生成する映像ダイジェスト生成装置であって、番組の映像を受信する受信手段と、受信した番組の映像を記憶媒体に録画する録画手段と、番組の映像のダイジェストを生成するダイジェスト生成プログラムを、ネットワークから取得するネットワーク接続手段と、取得したダイジェスト生成プログラムを実行するプログラム実行手段と、プログラム実行手段が実行するダイジェスト生成プログラムに従って、録画手段が録画した番組の映像を再生する再生手段と、を備える。
【００２２】
請求項１又は請求項７の構成によれば、番組毎に作成されたダイジェスト生成プログラムを、ネットワークから取得することで、各番組の内容に応じたダイジェストを生成することができる。
その結果、ユーザのダイジェスト利用価値の向上を図ることができる。
【００２３】
また、ダイジェスト自体をネットワークから取得するものではないため、著作権の問題を回避できる。
【００２４】
さらに、ダイジェスト自体ではなく、ダイジェスト生成プログラムを、ネットワークから取得するため、ネットワークにかかる負荷を軽減できる。
【００２５】
請求項２記載の映像ダイジェスト生成方法では、録画ステップは、受信ステップにより受信した番組の映像の時間情報を記憶媒体に記録するステップ、をさらに含み、プログラム実行ステップでは、記録した時間情報を利用して、ダイジェストを生成する。
【００２６】
請求項８記載の映像ダイジェスト生成装置では、録画手段は、番組の映像の時間情報を記憶媒体に記録し、プログラム実行手段は、記録した時間情報を利用して、ダイジェストを生成する。
【００２７】
請求項２又は請求項８の構成によれば、時間情報を利用してダイジェストを生成することで、演算量を削減することができて、消費電力の低減や、処理時間の短縮化によるリアルタイムでのダイジェスト生成が可能になる。
【００２８】
また、時間情報を利用することで、ダイジェスト生成プログラム自体の大きさを抑え、ダイジェスト生成プログラム取得時のネットワーク負荷をさらに抑えることができる。
【００２９】
請求項３記載の映像ダイジェスト生成方法では、プログラム取得ステップでは、１つの番組に対する複数の異なるダイジェスト生成プログラムの中から選択したダイジェスト生成プログラムを取得する。
【００３０】
請求項９記載の映像ダイジェスト生成装置では、１つの番組に対する複数の異なるダイジェスト生成プログラムの中から、単数又は複数のダイジェスト生成プログラムを選択するプログラム選択手段、をさらに備え、ネットワーク接続手段は、プログラム選択手段が選択したダイジェスト生成プログラムを、ネットワークから取得する。
【００３１】
請求項３又は請求項９の構成によれば、複数のダイジェスト生成プログラムの中から、ユーザの嗜好にあったダイジェスト生成プログラムを選択することで、より利用価値の高いダイジェストを生成できる。
【００３２】
請求項４記載の映像ダイジェスト生成方法では、ダイジェスト生成プログラムは、番組を解説するダイジェスト解説用情報を含む。
【００３３】
請求項１０記載の映像ダイジェスト生成装置では、ダイジェスト生成プログラムは、番組を解説するダイジェスト解説用情報を含む。
【００３４】
請求項４又は請求項１０の構成によれば、ダイジェスト解説用情報をダイジェストに埋め込むことにより、録画した番組の内容の把握がより容易になって、よりユーザにとって利用価値の高いダイジェストを生成できる。
【００３５】
請求項５記載の映像データベース生成方法では、受信した番組の映像を録画して、映像データベースを生成する映像データベース生成方法であって、番組の映像を受信する受信ステップと、受信した番組の映像を記憶媒体に録画する録画ステップと、番組の映像に含まれる所定要素の情報である映像解析用情報を、ネットワーク経由で取得する映像解析用情報取得ステップと、取得した映像解析用情報と録画した番組の映像とから、映像データベースを生成するデータベース生成ステップと、を含む。
【００３６】
請求項１１記載の映像データベース生成装置では、受信した番組の映像を録画して、映像データベースを生成する映像データベース生成装置であって、番組の映像を受信する受信手段と、受信した番組の映像を記憶媒体に録画する録画手段と、番組の映像に含まれる所定要素の情報である映像解析用情報を、ネットワーク経由で取得するネットワーク接続手段と、取得した映像解析用情報と録画した番組の映像とから、映像データベースを生成するデータベース生成手段と、を備える。
【００３７】
請求項５又は請求項１１の構成によれば、録画する番組毎に作成された映像解析用情報を、ネットワーク経由で取得することで、各番組に応じたデータベースを生成することができる。
その結果、ユーザにとって利用価値の高いデータベースの安定的な提供を図ることができる。
【００３８】
また、録画する番組毎に作成された映像解析用情報を、ネットワーク経由で取得することで、シーン検出の効率を上げることができ、かつ、リアルタイム性を確保しながら、映像をデータベース化することができる。
【００３９】
請求項６記載の映像データベース生成方法では、映像データベースを生成する映像データベース生成方法であって、被写体を撮影して映像を生成するする撮影ステップと、生成した映像を記憶媒体に録画する録画ステップと、映像に含まれる所定要素の情報である映像解析用情報を、ネットワーク経由で取得する映像解析用情報取得ステップと、取得した映像解析用情報と録画した映像とから、映像データベースを生成するデータベース生成ステップと、を含む。
【００４０】
請求項１２記載の映像データベース生成装置では、映像データベースを生成する映像データベース生成装置であって、被写体を撮影して映像を生成するする撮影手段と、生成した映像を記憶媒体に録画する録画手段と、映像に含まれる所定要素の情報である映像解析用情報を、ネットワーク経由で取得するネットワーク接続手段と、取得した映像解析用情報と生成した映像とから、映像データベースを生成するデータベース生成手段と、を備える。
【００４１】
請求項６又は請求項１２の構成によれば、録画する映像毎に作成された映像解析用情報を、ネットワーク経由で取得することで、各映像に応じたデータベースを生成することができる。
その結果、ユーザにとって利用価値の高いデータベースの安定的な提供を図ることができる。
【００４２】
また、録画する映像毎に作成された映像解析用情報を、ネットワーク経由で取得することで、シーン検出の効率を上げることができ、かつ、リアルタイム性を確保しながら、映像をデータベース化することができる。
【００４３】
【発明の実施の形態】
実施の形態１及び実施の形態２では、番組の映像が放送される例を挙げるが、本発明の適用は放送に限定されるものではなく、マルチキャスト通信あるいはユニキャスト通信などの他の通信方式により配信される番組の映像に適用できることは言うまでもない。
【００４４】
（実施の形態１）
図１は、本発明の実施の形態１による映像ダイジェスト生成装置のブロック図である。
【００４５】
図１に示すように、この映像ダイジェスト生成装置１は、放送受信手段１０、録画手段１１、プログラム実行手段１２、再生手段１３、記憶媒体１４、ネットワーク接続手段１５、及び、プログラム選択手段１６、を具備する。
【００４６】
さて、放送受信手段１０は、放送局２が放送した番組の映像を受信する。そして、録画手段１１は、放送受信手段１０が受信した番組の映像を記憶媒体１４に録画する。
【００４７】
ここで、記憶媒体１４には、ＤＶＤやＣＤ（ｃｏｍｐａｃｔ  ｄｉｓｃ）などの記録媒体の他、ＨＤＤ装置などの記憶機器やメモリなどの記憶素子など、電子的方法あるいは磁気的方法などにより、情報を記憶する物が含まれる。
【００４８】
また、放送局２には、地上波放送局の他、放送衛星、通信衛星、ケーブルテレビ基地局、ネットワーク（例えば、インターネット）上のサーバ、などの映像の配信元が含まれる。
【００４９】
さて、一方、プログラム選択手段１６は、ネットワーク３に存在する複数のダイジェスト生成プログラムの中から所望のダイジェスト生成プログラムを選択する。
【００５０】
そして、ネットワーク接続手段１５は、プログラム選択手段１６が選択したダイジェスト生成プログラムを、ネットワーク３からダウンロードする。
【００５１】
ここで、ダイジェスト生成プログラムは、番組の映像のダイジェストを生成するプログラムである。
【００５２】
このダイジェスト生成プログラムは、放送される番組毎に作成されており、各番組に応じたダイジェストを作成する。
また、ネットワーク３は、例えば、インターネットである。
【００５３】
さて、プログラム実行手段１２は、ネットワーク接続手段１５がダウンロードしたダイジェスト生成プログラムを実行する。
【００５４】
そして、再生手段１３は、プログラム実行手段１２が実行するダイジェスト生成プログラムに従って、ダイジェストを生成し、映像表示装置４に送信する。
そして、映像表示装置４は、再生手段１３が送信したダイジェストを表示する。
【００５５】
さて、放送される番組は、ドラマからスポーツ中継など多種多様にわたる。しかし、ネットワーク３から取得するダイジェスト生成プログラムは、録画した番組に特化したプログラムである。つまり、ダイジェスト生成プログラムは、録画した番組毎に作成され、各番組に応じた内容のダイジェストを作成するプログラムである。
【００５６】
このため、ダイジェスト生成プログラムを実行することで、録画した番組に適したダイジェストを生成することができる。これは、ダイジェスト生成プログラムを番組放送後に提供するため、番組内容に応じて、ダイジェスト生成プログラムの開発が可能となることに起因している。
【００５７】
また、ダイジェスト生成プログラムの形式を開示することで、ダイジェスト生成プログラムの開発が放送局以外でも可能となる。
【００５８】
このため、１つの番組につき多種多様の視点からの複数のダイジェスト生成プログラムを開発することも可能となる。
【００５９】
さらに、ダイジェスト生成プログラムの開発と配信は、放送局の提供する映像自体を配信するものではないため、著作権の侵害を回避することができる。
【００６０】
さらに、録画手段１１により、放送番組を録画するとともに、時間情報を記録することもできる。
【００６１】
このため、ダイジェスト生成プログラムは、シーンを抽出する際に、例えば、番組の開始時間からの相対時間を計算することで、特定のシーンを容易に検索して抽出することができる。
【００６２】
これにより、シーン検出のための複雑な演算、例えば、画像認識のためのパターンマッチや特徴量抽出のための演算を削減することができて、消費電力の低減や処理時間を短縮することにより、リアルタイムでダイジェストを生成することができる。また、時間情報を利用することでダイジェスト生成プログラム自体の大きさを抑え、プログラムダウンロード時のネットワーク負荷を抑えることもできる。
【００６３】
さらに、ダイジェスト生成プログラムに、ダイジェスト生成プログラムがダイジェストを作成する番組を解説するダイジェスト解説用情報を含ませることができる。
【００６４】
このようなダイジェスト解説用情報を含むダイジェスト生成プログラムを実行して、ダイジェスト生成時にプログラム提供者による番組解説を挿入することで、シーン間で省略されたストーリーの補間や再生しているシーンの解説が可能となり、ダイジェストを視聴するユーザの理解を補助することができる。また、プログラム提供者による解説を取り入れることにより、生成されるダイジェストの特徴を出すことができ、ユーザは自分の嗜好に合う解説を選択することができる。
【００６５】
ここで、ダイジェスト解説用情報は、例えば、映像、音声、テキスト、グラフィックス、あるいは、これらの組み合わせ、で構成することができる。
【００６６】
（実施の形態２）
図２は、本発明の実施の形態２による映像データベース生成装置のブロック図である。なお、図２において、図１と同様の部分については、同一の符号を付して説明を適宜省略する。
【００６７】
図２に示すように、映像データベース生成装置５は、放送受信手段１０、録画手段１１、記憶媒体１４、ネットワーク接続手段１５、及び、データベース生成手段５１、を具備する。
【００６８】
さて、放送受信手段１０は、放送局２が放送した番組の映像を受信する。そして、録画手段１１は、放送受信手段１０が受信した番組の映像を記憶媒体１４に録画する。
【００６９】
一方、ネットワーク接続手段１５は、ネットワーク３からデータベース作成に利用する映像解析用情報をダウンロードする。
【００７０】
そして、ネットワーク接続手段１５は、ダウンロードした映像解析用情報を記憶媒体１４に記録する。
【００７１】
ここで、映像解析用情報とは、データベースを作成する番組の映像に含まれる所定要素の情報である。
【００７２】
データベース生成手段５１は、映像解析用情報を記憶媒体１４から読み出して、読み出した映像解析用情報を基に、放送送受手段１０で受信した番組の映像の解析を行いデータベースを生成する。
【００７３】
さて、放送される番組はドラマからスポーツ中継など多種多様にわたる。しかし、映像解析用情報は、録画する番組に特化した情報である。つまり、映像解析用情報は、番組毎に作成され、各番組に応じた情報である。
【００７４】
このため、映像解析用情報を利用することで、録画する番組に適したデータベース化を行うことができる。
【００７５】
ここでのデータベース化とは、録画手段１１により、番組の映像をデジタルデータ（例えば、ＭＰＥＧ−２やＭＰＥＧ−４など）化すると同時に、データベース生成手段５１により、例えば、シーン情報を示すタグ情報をデジタルデータと共に、記憶媒体１４に記録することを示している。
【００７６】
なお、データベース形式は、標準化された形式（例えば、ＭＰＥＧ−７）でもよいし、装置特有の形式でもよい。
【００７７】
また、映像解析用情報は、例えば、野球中継を録画する場合には、球団別のユニフォーム情報、試合が行われる球場情報、出場選手の背番号や守備位置、顔や体形などの、映像に含まれる所定要素の情報である。
【００７８】
また、映像解析用情報は、例えば、ドラマを録画するには、出演者の顔や体形、声質などのシーンを解析するために必要な情報である。
【００７９】
さらに、予めシーン毎の放送時間がわかっている場合には、時間情報を映像解析用情報とすることで、シーン抽出を簡易化することができる。
【００８０】
なお、映像解析用情報は、データベースを生成するプログラム自体を含んでいてもよい。つまり、データベースを生成するプログラムを、ネットワーク３からダウンロードするようにしてもよい。
【００８１】
以上のような番組に特化した映像解析用情報を用いることにより、シーン検出の効率を上げることができ、リアルタイム性を確保しながら、放送されている番組をデータベース化することができる。
【００８２】
（実施の形態３）
図３は、本発明の実施の形態３による映像データベース生成装置のブロック図である。なお、図３において、図１と同様の部分については、同一の符号を付して説明を適宜省略する。
【００８３】
図３に示すように、この映像データベース生成装置６は、撮影手段６０、録画手段１１、データベース生成手段５１、記憶媒体１４、及び、ネットワーク接続手段１５、を具備する。
【００８４】
さて、撮影手段６０は、被写体を撮影して、映像を生成する。そして、録画手段１１は、撮影手段６０が生成した映像を記憶媒体１４に録画する。
【００８５】
一方、ネットワーク接続手段１５は、ネットワーク３からデータベース作成に利用する映像解析用情報をダウンロードする。
【００８６】
そして、ネットワーク接続手段１５は、ダウンロードした映像解析用情報を記憶媒体１４に記録する。
【００８７】
ここで、映像解析用情報とは、データベースを作成する映像に含まれる所定要素の情報である。
【００８８】
データベース生成手段５１は、映像解析用情報を記憶媒体１４から読み出して、読み出した映像解析用情報を基に、撮影手段６０が生成した映像の解析を行いデータベースを生成する。
【００８９】
さて、様々な被写体を撮影して生成される映像は、多種多様にわたる。しかし、映像解析用情報は、撮影して生成される映像（撮影する被写体）に特化した情報である。つまり、映像解析用情報は、撮影する映像（撮影する被写体）毎に作成され、各映像（各被写体）に応じた情報である。
【００９０】
このため、映像解析用情報を利用することで、録画する映像に適したデータベース化を行うことができる。
【００９１】
ここでのデータベース化とは、録画手段１１により、被写体を撮影して生成される映像をデジタルデータ（例えば、ＭＰＥＧ−２やＭＰＥＧ−４など）化すると同時に、データベース生成手段５１により、例えば、シーン情報を示すタグ情報をデジタルデータと共に、記憶媒体１４に記録することを示している。
【００９２】
なお、データベース形式は、標準化された形式（例えば、ＭＰＥＧ−７）でもよいし、装置特有の形式でもよい。
【００９３】
また、映像解析用情報は、例えば、球場で野球を撮影する場合には、球団別のユニフォーム情報、試合が行われる球場情報、出場選手の背番号や守備位置、顔や体形などの、映像に含まれる所定要素の情報や、選手の特徴的な動き、例えば投手の投球動作や打者のバッティング動作等を認識するために必要な情報である。
【００９４】
また、映像解析用情報は、例えば、観光での撮影を行う場合には、特徴的な建物や風景、造形物など、撮影している被写体を解析するために必要な情報である。
【００９５】
なお、映像解析用情報は、データベースを生成するプログラム自体を含んでいてもよい。つまり、データベースを生成するプログラムを、ネットワーク３からダウンロードするようにしてもよい。
【００９６】
また、ネットワーク接続手段１５は、ネットワーク３に接続するのではなく、例えば、撮影現場に設置されている映像解析用情報端末と接続・通信して、映像解析用情報を取得してもよい。
【００９７】
なお、映像解析用情報端末と接続・通信する場合も、それらをネットワークと考えれば、映像解析用情報は、ネットワークから取得されることになる。
【００９８】
ここで、例えば、観光地に設置されている映像解析用情報端末に、観光対象物を映像の中で検知するのに必要な情報を、映像解析用情報として蓄積しておくことができる。
【００９９】
以上のような、被写体を撮影して生成された映像に特化した映像解析用情報を用いることにより、シーン検出の効率を上げることができ、リアルタイム性を確保しながら、生成した映像をデータベース化することができる。
【０１００】
【発明の効果】
請求項１又は請求項７の発明によれば、番組毎に作成されたダイジェスト生成プログラムを、ネットワークから取得することで、各番組の内容に応じたダイジェストを生成することができる。
その結果、ユーザのダイジェスト利用価値の向上を図ることができる。
【０１０１】
また、ダイジェスト自体をネットワークから取得するものではないため、著作権の問題を回避できる。
【０１０２】
さらに、ダイジェスト自体ではなく、ダイジェスト生成プログラムを、ネットワークから取得するため、ネットワークにかかる負荷を軽減できる。
【０１０３】
請求項２又は請求項８の発明によれば、時間情報を利用してダイジェストを生成することで、演算量を削減することができて、消費電力の低減や、処理時間の短縮化によるリアルタイムでのダイジェスト生成が可能になる。
【０１０４】
また、時間情報を利用することで、ダイジェスト生成プログラム自体の大きさを抑え、ダイジェスト生成プログラム取得時のネットワーク負荷をさらに抑えることができる。
【０１０５】
請求項３又は請求項９の発明によれば、複数のダイジェスト生成プログラムの中から、ユーザの嗜好にあったダイジェスト生成プログラムを選択することで、より利用価値の高いダイジェストを生成できる。
【０１０６】
請求項４又は請求項１０の発明によれば、ダイジェスト解説用情報をダイジェストに埋め込むことにより、録画した番組の内容の把握がより容易になって、よりユーザにとって利用価値の高いダイジェストを生成できる。
【０１０７】
請求項５又は請求項１１の発明によれば、録画する番組毎に作成された映像解析用情報を、ネットワーク経由で取得することで、各番組に応じたデータベースを生成することができる。
その結果、ユーザにとって利用価値の高いデータベースの安定的な提供を図ることができる。
【０１０８】
また、録画する番組毎に作成された映像解析用情報を、ネットワーク経由で取得することで、シーン検出の効率を上げることができ、かつ、リアルタイム性を確保しながら、映像をデータベース化することができる。
【０１０９】
請求項６又は請求項１２の発明によれば、録画する映像毎に作成された映像解析用情報を、ネットワーク経由で取得することで、各映像に応じたデータベースを生成することができる。
その結果、ユーザにとって利用価値の高いデータベースの安定的な提供を図ることができる。
【０１１０】
また、録画する映像毎に作成された映像解析用情報を、ネットワーク経由で取得することで、シーン検出の効率を上げることができ、かつ、リアルタイム性を確保しながら、映像をデータベース化することができる。
【図面の簡単な説明】
【図１】本発明の実施の形態１における映像ダイジェスト生成装置のブロック図
【図２】本発明の実施の形態２における映像データベース生成装置のブロック図
【図３】本発明の実施の形態３における映像データベース生成装置のブロック図
【符号の説明】
１  映像ダイジェスト生成装置
２  放送局
３  ネットワーク
４  映像表示装置
５、６  映像データベース生成装置
１０  放送受信手段
１１  録画手段
１２  プログラム実行手段
１３  再生手段
１４  記憶媒体
１５  ネットワーク接続手段
１６  プログラム選択手段
５１  データベース生成手段
６０  撮影手段
【図１】
2004193708.tif 000003
【図２】
2004193708.tif 000004
【図３】
2004193708.tif 000005